【手続補正書】
【提出日】令和2年2月10日(2020.2.10)
【手続補正１】
【補正対象書類名】特許請求の範囲
【補正対象項目名】全文
【補正方法】変更
【補正の内容】
【特許請求の範囲】
【請求項１】
時変高周波ゲイン情報（１０４）をサイド情報（１０６）として有するオーディオ信号（１０２）を後処理するためのオーディオポストプロセッサ（１００）であって、
前記オーディオ信号（１０２）の高周波帯域（１１２）と前記オーディオ信号（１０２）の低周波帯域（１１４）とを抽出するための帯域抽出部（１１０）と、
前記時変高周波ゲイン情報（１０４）に従って前記高周波帯域（１１２）の時変増幅を行って処理済高周波帯域（１２２）を取得するための高帯域プロセッサ（１２０）と、
前記処理済高周波帯域（１２２）と前記低周波帯域（１１４）とを結合するための結合器（１３０）と、
を含むオーディオポストプロセッサ（１００）。
【請求項２】
前記帯域抽出部（１１０）は、
分析ウィンドウを用いて前記オーディオ信号のサンプリング値のブロックのシーケンスを生成するための分析ウィンドウ処理部（１１５）であって、前記ブロックは時間重複している、分析ウィンドウ処理部（１１５）と、
スペクトル値のブロックのシーケンスを生成するための離散フーリエ変換プロセッサ（１１６）と、
スペクトル値の各ブロックを整形して、スペクトル値のローパス整形されたブロックのシーケンスを取得するためのローパス整形器（１１７）と、
ローパス時間ドメインサンプリング値のブロックのシーケンスを生成するための離散逆フーリエ変換プロセッサ（１１８）と、
合成ウィンドウを用いてローパス時間ドメインサンプリング値のブロックの前記シーケンスをウィンドウ処理するための合成ウィンドウ処理部（１１９）と、
を含む、請求項１に記載のオーディオポストプロセッサ。
【請求項３】
前記帯域抽出部（１１０）は更に、前記分析ウィンドウと前記合成ウィンドウとを用いて前記オーディオ信号（１０２）をウィンドウ処理して、オーディオ信号値のウィンドウ処理済ブロックのシーケンスを取得するためのオーディオ信号ウィンドウ処理部（１２１）であって、前記オーディオ信号ウィンドウ処理部（１２１）は前記ウィンドウ処理部（１１５、１１９）と同期して、ローパス時間ドメインサンプリング値のブロックの前記シーケンスが、オーディオ信号値のウィンドウ処理済ブロックの前記シーケンスと同期するようになっている、オーディオ信号ウィンドウ処理部（１２１）を含む、請求項２に記載のオーディオポストプロセッサ。
【請求項４】
前記帯域抽出部（１１０）は、前記オーディオ信号から得られるブロックの対応するシーケンスからローパス時間ドメイン値のブロックの前記シーケンスのサンプル毎の減算（１１３）を実行して、ハイパス時間ドメインサンプリング値のブロックのシーケンスを取得するように構成されている請求項２又は３に記載のオーディオポストプロセッサ。
【請求項５】
前記高帯域プロセッサ（１２０）は、前記時変増幅を、ハイパス時間ドメインサンプリング値のブロックの前記シーケンスの各ブロックの各サンプルに適用するように構成され、ブロックのサンプルに対する前記時変増幅は、前ブロックのゲイン情報と現在のブロックのゲイン情報か又は現在のブロックのゲイン情報と次のブロックのゲイン情報とに依存する請求項４に記載のオーディオポストプロセッサ。
【請求項６】
前記結合器（１３０）は、ローパス時間ドメインサンプリング値のブロックの前記シーケンスとハイパス時間ドメインサンプリング値の増幅されたブロックの前記シーケンスとの対応するブロックのサンプル毎の加算を実行して、結合信号値のブロックのシーケンスを取得するように構成されている請求項５に記載のオーディオポストプロセッサ。
【請求項７】
更に、ブロック重複範囲（３２１）内の結合信号値の前記シーケンスの第１のブロック（３０１）のオーディオサンプルと前記第１のブロックに隣接する隣の第２のブロック（３０２）のオーディオサンプルとを加算することによって、後処理済オーディオ信号部分を計算するための重複加算（１４０）プロセッサを含む請求項６に記載のオーディオポストプロセッサ。
【請求項８】
前記帯域抽出部（１１０）、前記高帯域プロセッサ（１２０）、及び前記結合器（１３０）は重複ブロック内で動作して、重複範囲（３２１）はブロック長の４０％〜ブロック長の６０％であるか、又はブロック長は０．８ミリ秒〜５ミリ秒であるか、又は前記高帯域プロセッサ（１２０）によって行われる前記時変増幅は、時間ドメイン内のブロックの各サンプルに適用される乗算係数であるか、又は前記低周波帯域のカットオフ又はコーナー周波数は、前記オーディオ信号の最大周波数の１／８〜１／３であり、好ましくは前記オーディオ信号の前記最大周波数の１／６に等しい請求項１〜８のいずれか１項に記載のオーディオポストプロセッサ。
【請求項９】
前記ローパス整形器（１１７）は、対応するブロックに対する前記時変高周波ゲイン情報（１０４）に応じて整形関数を適用するように構成されている請求項２に記載のオーディオポストプロセッサ。
【請求項１０】
前記整形関数は更に、対応するブロックに対する前記時変高周波ゲイン情報を用いて前記オーディオ信号の高周波帯域を変更するか又は減衰させるためにオーディオプレプロセッサ（２００）内で用いられる整形関数に依存する請求項９に記載のオーディオポストプロセッサ。
【請求項１１】
ブロックのサンプルに対する前記変更は更に、前記分析ウィンドウ関数又は前記合成ウィンドウ関数によって規定されるあるサンプルに対して適用されるウィンドウ処理係数に依存する請求項５に記載のオーディオポストプロセッサ。
【請求項１２】
オーディオ信号（２０２）を前処理するためのオーディオプレプロセッサ（２００）であって、
前記オーディオ信号（２０２）を分析して時変高周波ゲイン情報（２０４）を決定するための信号分析器（２６０）と、
前記オーディオ信号（２０２）の高周波帯域（２１２）と前記オーディオ信号の低周波帯域（２１４）とを抽出するための帯域抽出部（２１０）と、
前記時変高周波ゲイン情報に従って前記高周波帯域（２１２）の時変変更を行って処理済高周波帯域（２２２）を取得するための高帯域プロセッサ（２２０）と、前記処理済高周波帯域（２２２）と前記低周波帯域（２１４）とを結合して前処理済オーディオ信号（２３２）を取得するための結合器（２３０）と、
前記前処理済オーディオ信号（２３２）と前記時変高周波ゲイン情報（２０４）とをサイド情報（２０６）として含む出力信号（２５２）を生成するための出力インターフェース（２５０）と、
を含むオーディオプレプロセッサ（２００）。
【請求項１３】
前記信号分析器（２６０）は、前記時変高周波ゲイン情報の変更を制御するメタゲイン制御（８０６）を適用して、前記オーディオ信号から更に得られる更なる制御データ（８０７）に従って前記オーディオ信号に対する前記高帯域プロセッサ（２２０）の効果を徐々に減らすか又は徐々に高めるように構成されているか、又は、
前記信号分析器（２６０）は、以下の方程式に基づいて前記ゲイン情報を計算するときに係数アルファに影響を与えるように構成され、アルファを増加させると影響が大きくなり、アルファを減少させると影響が小さくなり、
【数６２】
2020024440.tif 000001
式中、ｇｆｌｏａｔは非量子化ゲイン係数であり、ｋはブロックインデックスであり、ｈｐ＿ｂｇ＿ｅ［ｋ］は前記ブロックｋに対する高周波バックグラウンドエネルギーであり、ｈｐ＿ｅ［ｋ］は高周波ブロックのエネルギーであり、Ｔ＿ｑｕｉｅｔは静穏な閾値であり、前記係数α及び前記静穏な閾値は予め決められているか又は更なる制御パラメータによって制御可能である請求項１２に記載のオーディオプレプロセッサ。
【請求項１４】
前記帯域抽出部（２１０）は、ローパスフィルタ装置（１１１）を用いて前記低周波帯域を抽出し、前記オーディオ信号から前記低周波帯域を減算する（１１３）ことによって前記高周波帯域を抽出するように構成されている請求項１２又は１３に記載のオーディオプレプロセッサ。
【請求項１５】
前記帯域抽出部（２１０）と前記高帯域プロセッサ（２２０）と前記結合器（２３０）とは、重複ブロック内で動作するように構成され、
前記結合器（２３０）は更に、ブロック重複範囲（３２１）内の第１のブロックのオーディオサンプルと第２のブロックのオーディオサンプルとを加算することによって後処理部分を計算するための重複加算器を含むか、又は、
前記帯域抽出部（２１０）、前記高帯域プロセッサ（２２０）、及び前記結合器（２３０）は重複ブロック内で動作して、重複範囲（３２１）はブロック長の４０％〜ブロック長の６０％であるか、又は、
ブロック長は０．８ミリ秒〜５ミリ秒であるか、又は、
前記高帯域プロセッサ（２２０）によって行われる前記変更は、時間ドメイン内のブロックの各サンプルに適用される減衰であるか、又は、
前記低周波帯域のカットオフ又はコーナー周波数は、前記オーディオ信号（２０２）の最大周波数の１／８〜１／３であり、好ましくは前記オーディオ信号の前記最大周波数の１／６に等しい請求項１２〜１４のいずれか１項に記載のオーディオプレプロセッサ。  
【請求項１６】
前記帯域抽出部（２１０）は、
分析ウィンドウを用いて前記オーディオ信号のサンプリング値のブロックのシーケンスを生成するための分析ウィンドウ処理部（２１５）であって、前記ブロックは時間重複している、分析ウィンドウ処理部（２１５）と、
スペクトル値のブロックのシーケンスを生成するための離散フーリエ変換プロセッサ（２１６）と、
スペクトル値の各ブロックを整形して、スペクトル値のローパス整形されたブロックのシーケンスを取得するためのローパス整形器（２１７ａ、２１７ｂ）と、
ローパス時間ドメインサンプリング値のブロックのシーケンスを生成するための離散逆フーリエ変換プロセッサ（２１８）と、
合成ウィンドウを用いてローパス時間ドメインサンプリング値のブロックの前記シーケンスをウィンドウ処理するための合成ウィンドウ処理部（２１９）と、
を含む請求項３２〜４２のいずれか１項に記載のオーディオプレプロセッサ。
【請求項１７】
前記分析器（２６０）は更に、メタゲイン制御（８０６）によって計算される制御パラメータ（８０７）をもたらし、前記高帯域プロセッサ（２２０）は前記変更を前記制御パラメータも考慮して適用するように構成されている請求項１２〜１６のいずれか１項に記載のオーディオプレプロセッサ。
【請求項１８】
前記帯域抽出部（２１１）、前記高帯域プロセッサ（７２０）、及び前記結合器（２３０）は、
重複ブロック内で動作して、重複範囲はブロック長の４０％〜ブロック長の６０％であるか、又は、
ブロック長は０．８ミリ秒〜５ミリ秒であるか、又は、
前記高帯域プロセッサ（２２０）によって行われる前記変更は、時間ドメイン内のブロックの各サンプルに適用される乗算係数である請求項１２〜１７のいずれか１項に記載のオーディオプレプロセッサ。
【請求項１９】
前記重複ブロックの重複範囲（３２１）は前記前ブロックの半分に等しく、前記後ブロックはサンプル値の数に対して前記前ブロックと同じ長さを有し、前記結合器は前記重複加算演算を行うための重複加算器を含む請求項１２〜１８のいずれか１項に記載のオーディオプレプロセッサ。
【請求項２０】
最大数のチャンネル又はオブジェクトに対する前処理のみを実行して前記最大数のチャンネル又はオブジェクトに対する前記サイド情報（２０６）を生成し、前記サイド情報（２０６）が生成されないチャンネル又はオブジェクトの数に対しては何らの前処理も実行しないように構成されているか、又は、
前記帯域抽出部（２１０）は、前記信号分析器（２６０）によって決定された前記時変高周波ゲイン情報（２０４）に対する自明なゲイン係数に対しては、何らの帯域抽出も実行せず、離散フーリエ変換及び逆離散フーリエ変換対も計算せず、及び前記自明なゲイン係数に付随する不変な又はウィンドウ処理済時間ドメイン信号は通過するように構成されている請求項１２〜１９のいずれか１項に記載のオーディオポストプロセッサ。
【請求項２１】
オーディオ信号を符号化するためのオーディオ符号化装置であって、
請求項１２〜２０のうちのいずれか一項に記載のオーディオプレプロセッサであって、前記時変高周波ゲイン情報をサイド情報として有する出力信号（２５２）を生成するように構成されたオーディオプレプロセッサと、
コア符号化信号（９０２）とコアサイド情報（９０４）とを生成するためのコア符号器（９００）と、
前記コア符号化信号（９０２）、前記コアサイド情報（９０４）、及び前記時変高周波ゲイン情報を更なるサイド情報（１０６）として含む符号化信号（９１２）を生成するための出力インターフェース（９１０）と、
を含むオーディオ符号化装置。
【請求項２２】
オーディオ復号装置であって、
コア符号化信号（９０２）、コアサイド情報（９０４）、及び前記時変高周波ゲイン情報（１０４）を更なるサイド情報として含む符号化オーディオ信号（９１２）を受け取るための入力インターフェース（９２０）と、
前記コアサイド情報（９０４）を用いて前記コア符号化信号（９０２）を復号して復号化コア信号を取得するためのコア復号器（９３０）と、
請求項１〜１１のいずれかに記載の時変高周波ゲイン情報（１０４）を用いて前記復号化コア信号（１０２）を後処理するためのポストプロセッサ（１００）と、
を含むオーディオ復号装置。
【請求項２３】
時変高周波ゲイン情報（１０４）をサイド情報（１０６）として有するオーディオ信号（１０２）を後処理する（１００）方法であって、
前記オーディオ信号の高周波帯域（１１２）と前記オーディオ信号の低周波帯域（１１４）とを抽出する（１１０）ことと、
前記時変高周波ゲイン情報（１０４）に従って前記高帯域の時変変更を行って（１２０）処理済高周波帯域（１２２）を取得することと、
前記処理済高周波帯域（１２２）と前記低周波帯域（１１４）とを結合する（１３０）ことと、
を含む方法。
【請求項２４】
オーディオ信号（２０２）を前処理する（２００）方法であって、
前記オーディオ信号（２０２）を分析して（２６０）時変高周波ゲイン情報（２０４）を決定することと、
前記オーディオ信号の高周波帯域（２１２）と前記オーディオ信号の低周波帯域（２１４）とを抽出する（２１０）ことと、
前記時変高周波ゲイン情報に従って前記高周波帯域の時変変更を行って（２２０）処理済高周波帯域を取得することと、
前記処理済高周波帯域（２２２）と前記低周波帯域（２１４）とを結合して（２３０）前処理済オーディオ信号を取得することと、
前記前処理済オーディオ信号（２３２）と前記時変高周波ゲイン情報（２０４）とをサイド情報（１０６）として含む出力信号（２５２）を生成する（２５０）ことと、
を含む方法。
【請求項２５】
オーディオ信号を符号化する方法であって、
前記時変高周波ゲイン情報（２０４）をサイド情報（１０６）として有する出力信号を生成するように構成された請求項２４に記載のオーディオ信号を前処理する（２００）方法と、
コア符号化信号（９０２）とコアサイド情報（９０４）とを生成することと、
前記コア符号化信号（９０２）、前記コアサイド情報（９０４）、及び前記時変高周波ゲイン情報（２０４）を更なるサイド情報（１０６）として含む符号化信号（９１２）を生成する（９１０）ことと、
を含む方法。  
【請求項２６】
オーディオ復号する方法であって、
コア符号化信号（９０２）、コアサイド情報（９０４）、及び前記時変高周波ゲイン情報（２０４）を更なるサイド情報（１０６）として含む符号化オーディオ信号（９１２）を受け取る（９２０）ことと、
前記コアサイド情報（９０４）を用いて前記コア符号化信号（９０２）を復号して（９３０）復号化コア信号（１０２）を取得することと、
請求項２３に記載の方法による前記時変高周波ゲイン情報（１０４）を用いて前記復号化コア信号（１０２）を後処理（１００）することと、
を含む方法。
【請求項２７】
コンピュータ又はプロセッサ上で実行されたときに、請求項２３、２４、２５、２６に記載の方法のいずれか一項を行うためのコンピュータプログラム。